(57)【要約】【課題】脱毛や薄毛を人目に曝さないように頭部の身だしなみを整えるための帽子であって、場所や時間帯による制約を余り受けずに済み、しかも就寝使用中の装着安定性に優れ、一年を通じて毎日２４時間装着したままにするような使用を気遣いなく可能とする帽子の提供。【解決手段】帽子１は、布材を用いることで着用者の頭部の全体をその外形に沿う状態で覆うことができるようにされた頭部被覆部２を有し、また頭部被覆部の襞取りによる各襞の端部を環状に縫い合わせることで環状の開口部を有するようにして頭部被覆部の後部端に形成された後部襞取り部１０を有している。【選択図】図１
0003152364.tif 000002
【実用新案登録請求の範囲】
【請求項１】
布材を用いて着用者の頭部の全体をその外形に沿う状態で覆うことができるように形成された頭部被覆部を有し、前記頭部被覆部の襞取りによる各襞の端部を環状に縫い合わせることで環状の開口部を有するようにして前記頭部被覆部の後部端に形成された襞取り部を有していることを特徴とする身だしなみ帽子。
【請求項２】
前記襞取り部開口部に弾性伸縮体が組み込まれていることを特徴とする請求項１に記載の身だしなみ帽子。
【請求項３】
前記頭部被覆部の着装用開口部に沿って環状に設けられた環状へり部を有し、前記環状へり部に弾性伸縮体が組み込まれていることを特徴とする請求項１又は請求項２に記載の身だしなみ帽子。
【請求項４】
布材を用いて着用者の頭部の全体をその外形に沿う状態で覆うことができるように形成された頭部被覆部、及び前記頭部被覆部の着装用開口部に沿って環状に設けられた環状へり部を有し、前記環状へり部に弾性伸縮体が組み込まれていることを特徴とする身だしなみ帽子。
【請求項５】
前記頭部被覆部の布材として、通気性のある布材が用いられていることを特徴とする請求項１〜請求項４のいずれか１項に記載の身だしなみ帽子。
【請求項６】
装着時に結び合わせて結び飾り部を形成させる一対の結び飾り用リボンが前記頭部被覆部の後端部に取り付けられていることを特徴とする請求項１〜請求項５のいずれか１項に記載の身だしなみ帽子。
【請求項７】
結び目状に形成した結び飾り部が前記頭部被覆部の後端部に取り付けられていることを特徴とする請求項１〜請求項５のいずれか１項に記載の身だしなみ帽子。
【請求項８】
つけ毛が前記頭部被覆部に取り付けられていることを特徴とする請求項１〜請求項７のいずれか１項に記載の身だしなみ帽子。
【考案の詳細な説明】
【技術分野】
【０００１】
本考案は、身だしなみ帽子に係り、特に、病気、加齢等による脱毛・薄毛などの対処法として用いるのに好適な身だしなみ帽子に関する。
【背景技術】
【０００２】
人にとって、頭髪を失ったり頭髪が薄くなったりすることは精神的に大きな苦痛や負担をもたらす。そのため、抗がん剤によるがん治療などで頭髪を失ったり加齢で頭髪が薄くなったりしてしまった場合、その頭部の状態を如何に人目に曝すことのないように装うことができるか、つまりそのような頭部について身だしなみを如何に整えることができるかが大切な問題となる。
【０００３】
このような頭髪問題への対処としては、適切なかつらを用いる方法（かつら装着法）と頭部を覆って脱毛などを隠せるようにした帽子を用いる方法（帽子装着法）が主なものとしてある。脱毛や薄毛を人目に曝さないようにするという点ではかつら装着法がより優れているといえる。しかし、かつら装着法には、利用者に生理的にも費用的にも大きな負担を強いるという問題がある。一方、帽子装着法は、手軽に利用できるし、費用負担も少なくて済み、しかも脱毛や薄毛を人目から避ける効果も十分にある。
【０００４】
こうしたことから頭髪問題への対処としては、帽子装着法を用いることがより適切である場合が少なくないと言え、様々な手法が提案されている。例えば特許文献１〜特許文献３などに開示されるのがその例で、特に特許文献１に開示のスカーフ状帽子は優れている。すなわち特許文献１に開示のスカーフ状帽子は、スカーフを被っているのと同じような装いとして用いることができ、そのことから一般的な帽子に比べて、被る場所や時間帯を選ぶ必要が少ないというスカーフの特性を活かし、脱毛や薄毛を人目に曝さないように身だしなみを整えるという目的をごく自然な状態で達成することを可能とする。なお、かつら装着法については例えば特許文献４や特許文献５に開示の例が知られている。
【先行技術文献】
【特許文献】
【０００５】
【特許文献１】特開２００１−３２１１７号公報
【特許文献２】特開２００３−１６６１１１号公報
【特許文献３】特開２００３−２２１７２０号公報
【特許文献４】特開平８−２４６２１７号公報
【特許文献５】実用新案登録第３１４６５１３号公報
【考案の概要】
【考案が解決しようとする課題】
【０００６】
上述の特許文献１におけるスカーフ状帽子のように、スカーフないしその類の布類を被っているのと同じような装いで帽子を用いることができるようにすることは、場所や時間帯による制約が少なくて済むことで脱毛や薄毛を人目に曝さないように身だしなみを整えるという目的を自然な状態で達成可能とすることから、帽子法の上述のような利点をより効果的に活かす上で有効であるといえる。
【０００７】
しかし、特許文献１のスカーフ状帽子は、その可能的な特性であるところの、場所や時間帯による制約を余り受けずに帽子を用いることができるという特性を十分に活かせているとはいえない。例えば抗がん剤によるがん治療などで頭髪をすっかり失ってしまった人は、現実の人目だけでなく、就寝中のように実際には人目のない状況にあっても、頭部の脱毛を隠したいという心理状態を招く場合が少なくない。つまり頭髪問題への対処のための帽子は、就寝中にも自然な装いとして使用でき、しかも就寝中の使用にあって外れたりずれたりすることのないような装着安定性を有することが求められることになるが、特に就寝使用中の装着安定性について特許文献１のスカーフ状帽子では十分な配慮がなされていない。
【０００８】
本考案は、以上のような事情を背景になされたものであり、脱毛や薄毛を人目に曝さないように頭部の身だしなみを整えるための帽子、つまり身だしなみ帽子であり、スカーフのような布類を被っているのと同じような装いで用いることができることで、場所や時間帯による制約を受けずに済み、しかも就寝使用中の装着安定性に優れ、一年を通じて毎日２４時間装着したままにするような使用を気遣いなく可能とする身だしなみ帽子の提供を課題としている。
【課題を解決するための手段】
【０００９】
上記課題を解決するために、本考案による身だしなみ帽子は、布材を用いて着用者の頭部の全体をその外形に沿う状態で覆うことができるように形成された頭部被覆部を有し、前記頭部被覆部の襞取りによる各襞の端部を環状に縫い合わせることで環状の開口部を有するようにして前記頭部被覆部の後部端に形成された襞取り部を有していることを特徴としている（第１の考案）。
【００１０】
このような第１の考案による身だしなみ帽子は、着用者の頭部の全体をその外形に沿う状態で覆うことができるようにされた頭部被覆部、つまり着用者の頭部に馴染み易く就寝使用中についても装着安定性に優れる頭部被覆部を有し、しかもそのような頭部被覆部にあって、襞取り部がスカーフのような布類を頭部に被る際に頭部の後部に一般的に生じる襞状態を表すことになる。このため第１の考案による身だしなみ帽子は、高い装着安定性をもってスカーフのような布類を被っているのと同じような装いとして用いることができ、したがって場所や時間帯による制約を余り受けずに脱毛や薄毛を人目に曝さないように身だしなみを整えるという目的を自然な状態で達成することを可能とし、また一年を通じて毎日２４時間装着したままにするような使用を気遣いなく可能とする。
【００１１】
本考案では、上記のような身だしなみ帽子について、前記襞取り部開口部に弾性伸縮体が組み込まれていることを好ましい形態としている（第２の考案）。
【００１２】
このような第２の考案による身だしなみ帽子は、襞取り部の開口部に組み込んだ弾性伸縮体により、着用者の頭部に後頭部から適度な弾性をもって押接する押接性を頭部被覆部に与えることができる。このため頭部への適度な密接状態を得ることができ、これにより着用者の頭部に余り負担を強いることなく、就寝使用中の装着安定性を大きく高めることができる。
【００１３】
また本考案では、上記のような身だしなみ帽子について、前記頭部被覆部の着装用開口部に沿って環状に設けられた環状へり部を有し、前記環状へり部に弾性伸縮体が組み込まれていることを好ましい形態としている（第３の考案）。
【００１４】
このような第３の考案による身だしなみ帽子は、頭部被覆部の装着用開口部に設けた環状へり部における環状の弾性伸縮体により、まず第１に頭部側面への適度な密接状態を得ることができ、これにより着用者の頭部に余り負担を強いることなく、就寝使用中の装着安定性をさらに高めることができ、また第２に、頭部の周方向に沿った柔らかな伸縮を頭部被覆部に全体的になさせることができ、そのため無毛、薄毛にかかわらず被り易くなって使い勝手がよくなる。
【００１５】
また上記課題を解決するために、本考案による身だしなみ帽子は、布材を用いて着用者の頭部の全体をその外形に沿う状態で覆うことができるように形成された頭部被覆部、及び前記頭部被覆部の着装用開口部に沿って環状に設けられた環状へり部を有し、前記環状へり部に弾性伸縮体が組み込まれていることを特徴としている（第４の考案）。
【００１６】
このような第４の考案による身だしなみ帽子は、着用者の頭部の全体をその外形に沿う状態で覆うことができるようにされた頭部被覆部、つまり着用者の頭部に馴染み易く就寝使用中についても装着安定性に優れる頭部被覆部を有することから、高い装着安定性をもってスカーフのような布類を被っているのと同じような装いとして用いることができ、したがって場所や時間帯による制約を余り受けずに脱毛や薄毛を人目に曝さないように身だしなみを整えるという目的を自然な状態で達成することを可能とし、また一年を通じて毎日２４時間装着したままにするような使用を気遣いなく可能とする。
【００１７】
また第４の考案による身だしなみ帽子は、頭部被覆部の装着用開口部に設けた環状へり部における環状の弾性伸縮体により、まず第１に頭部側面への適度な密接状態を得ることができ、これにより着用者の頭部に余り負担を強いることなく、就寝使用中の装着安定性を大きく高めることができ、また第２に、頭部の周方向に沿った柔らかな伸縮を頭部被覆部に全体的になさせることができ、そのため無毛、薄毛にかかわらず被り易くなって使い勝手がよくなる。
【００１８】
本考案による身だしなみ帽子は、上述のように一年を通じて毎日２４時間装着したままにするような使用を可能とし、したがって長時間連続的に使用される場合が多くなる。これについては、長時間の連続的使用にあっても頭部に蒸れが発生するのを避けることができるようにするのが好ましく、そのためには適度な通気性を確保するのが好ましい。こうしたことから本考案では、上記のような身だしなみ帽子について、前記頭部被覆部の布材として、通気性のある布材を用いることを好ましい形態としている（第５の考案）。
【００１９】
また本考案では、上記のような身だしなみ帽子について、装着時に結び合わせて結び飾り部を形成させる一対の結び飾り用リボンが前記頭部被覆部の後端部に取り付けられていることを好ましい形態としている（第６の考案）。
【００２０】
このような第６の考案による身だしなみ帽子は、頭部被覆部の後端部に取り付けた一対の結び飾り用リボンを結び合わせることで装着時に結び飾り部を形成することができる。そしてこの結び飾り部は、スカーフのような布類を頭部に被る際に頭部の後ろで結んだ状態を表すことになり、したがってスカーフのような布類を被っているのと同じような装い性をさらに一層高めることができる。また一対の結び飾り用リボンは、その結び方を着用者が自由に調整することができ、このことで身だしなみ帽子を着用者の頭部に対しよりフィットさせるのにも機能し、これにより使い勝手をさらに高めることができる。
【００２１】
また本考案では、上記のような身だしなみ帽子について、結び目状に形成した結び飾り部が前記頭部被覆部の後端部に取り付けられていることを好ましい形態としている（第７の考案）。
【００２２】
このような第７の考案による身だしなみ帽子は、頭部被覆部の後端部に取り付けた結び目状の飾り部がスカーフのような布類を頭部に被る際に頭部の後ろで結んだ状態を表すことになり、したがってスカーフのような布類を被っているのと同じような装い性をさらに一層高めることができる。
【００２３】
さらに本考案では、上記のような身だしなみ帽子について、つけ毛が前記頭部被覆部に取り付けられていることを好ましい形態としている（第８の考案）。
【００２４】
このような第８の考案による身だしなみ帽子は、何時も若々しく見え、自信を持って外出することもできるようになる。
【考案の効果】
【００２５】
以上のような本考案によれば、脱毛や薄毛を人目に曝さないように頭部の身だしなみを整えるための帽子として、スカーフのような布類を被っているのと同じような装いで用いることができることで、場所や時間帯による制約を余り受けずに済み、しかも就寝使用中の装着安定性に優れ、２４時間装着したままにするような使用を気遣いなく可能とする身だしなみ帽子が実現される。
【図面の簡単な説明】
【００２６】
【図１】第１の実施例による身だしなみ帽子を側面方向から視た状態を簡略化して示す図である。
【図２】図１中の矢印Ａ方向から視た状態を簡略化して示す図である。
【図３】図１中の矢印Ｂ方向から視た状態を簡略化して示す図である。
【図４】図３中で二点鎖線の円で囲んだ部分について頭部被覆部を拡大して示す図である。
【図５】第２の実施例による身だしなみ帽子の要部を示す図である。
【図６】つけ毛を取り付けて身だしなみ帽子を装着し状態の例を示す図である。
【図７】つけ毛を取り付けて身だしなみ帽子を装着し状態の他の例を示す図である。
【考案を実施するための形態】
【００２７】
以下、本考案を実施するための形態について説明する。
【実施例１】
【００２８】
図１〜図４に第１の実施例による身だしなみ帽子を示す。本実施例の身だしなみ帽子１は、頭部被覆部２と結び飾り部３を有しており、つけ毛４などを取り付けて用いることができるようにされている。頭部被覆部２は、図示を省略の着用者の頭部の全体をその外形に沿う状態で覆うことができるように、つまり着用した際にスカーフのような布類を被っているのと同じような装いとなるように形成されている。そのために頭部被覆部２は、適度に柔軟性と通気性のある布材を用いて形成されている。より具体的には、適度に柔軟性と通気性のある布材を例えば長方形などとして適切な形状に裁断して得られる被覆部片５を複数枚（図の例では４枚）縫い合わせて形成されており、被覆部片５を縫い合わせた縫い目６が現れるようにされている。このような頭部被覆部２は、着用者の頭部に馴染み易く就寝使用中についても装着安定性に優れ、また一年を通じて毎日２４時間装着したままにするような長時間の連続的使用にあっても頭部に蒸れが発生するのを避けることができる。
【００２９】
また頭部被覆部２は、その着装用開口部７に沿って環状に形成された環状へり部８が設けられるとともに、前端部に前部襞取り部９が設けられ、さらに後部端に後部襞取り部１０が設けられている。
【００３０】
環状へり部８は、着装用開口部７に沿って環状に形成されている。より具体的には、着装用開口部７の環状の端縁を玉縁状に縫い合わせて形成されており、その内部に環状のゴムバンド１１が組み込まれている。ゴムバンド１１は、弾性伸縮体として機能するものであり、両端をリング金具１２（図４）で止めることで環状に形成されている。このような環状へり部８における環状のゴムバンド１１、つまり環状の弾性伸縮体は、着用者の頭部側面への適度な密接状態を与えることができる。その結果、着用者の頭部に余り負担を強いることなく、就寝使用中の装着安定性を大きく高めることがでる。またゴムバンド１１は、頭部の周方向に沿った柔らかな伸縮を頭部被覆部２に全体的になさせることができる。その結果、無毛、薄毛にかかわらず被り易くなって使い勝手がよくなる。
【００３１】
前部襞取り部９は、襞取りにより複数の前部襞１３を頭部被覆部２に形成させるとともに、その各前部襞１３の端部を縫い固めることで頭部被覆部２の前端部から若干盛り上がる状態にして形成されている。このような前部襞取り部９は、スカーフのような布類を頭部に被る際に頭部の前部に一般的に生じる襞状態を表すことになる。この結果、帽子１について、スカーフのような布類を被っているのと同じような装い性を高めることができる。
【００３２】
後部襞取り部１０は、襞取りにより複数の後部襞１４を頭部被覆部２に形成させるとともに、その各後部襞１４の端部を概略環状に整えて縫い合わせることで一部開放となる環状の開口部１５を有するように形成されている。そして環状開口部１５には、その縁を玉縁状に縫い合わせることで、環状へり部８と交差する方向に延在する高さ方向環状へり部１６（図４）が設けられており、そこに弾性伸縮体として環状のゴムバンド１７が組み込まれている。
【００３３】
このような後部襞取り部１０は、スカーフのような布類を頭部に被る際に頭部の後部に一般的に生じる襞状態を表すことになる。この結果、帽子１について、スカーフのような布類を被っているのと同じような装い性を高めることができる。また、後部襞取り部１０における高さ方向環状へり部１６に組み込んだゴムバンド１７は、頭部被覆部２の高さ方向についても適度な密接状態と柔軟な伸縮性を与え、これにより就寝使用中の装着安定性をさらに一層高めることができるとともに、使い勝手をさらに高めることができる。
【００３４】
結び飾り部３は、結び目状、つまりスカーフのような布類を頭部に被る際に後部に作られる結び目に似せた状態に形成されており、結び部１８とそこから左右に垂れ下がるリボン部１９からなっている。この飾り部３は、頭部被覆部２の後端部に縫い付けることで取り付けられている。より具体的には、後部襞取り部１０における環状開口部１５に縫い付けることで取り付けられている。このような飾り部３は、スカーフのような布類を頭部に被る際に頭部の後ろで結んだ状態を表すことになる。この結果、身だしなみ帽子１について、スカーフのような布類を被っているのと同じような装い性を高めることができる。
【実施例２】
【００３５】
図５に第２の実施例による身だしなみ帽子の要部を示す。図５は、図４に対応しており、第２の実施例による身だしなみ帽子２１における要部となる後部襞取り部２２の周辺を拡大して示している。身だしなみ帽子２１は、基本的には第１の実施例による身だしなみ帽子１と同様で、身だしなみ帽子１における後部襞取り部１０に対応する要素として、後部襞取り部２２を有している点で相違し、また結び飾り用リボン２３を有している点で相違している。以下では、身だしなみ帽子２１に特徴的な構成について主に説明し、その他の構成については上での説明を援用するものとする。
【００３６】
後部襞取り部２２は、頭部被覆部２における各後部襞１４の端部を円弧状に整えて縫い合わせることで半環状の開口部２４を有するように形成されている。そして環状開口部２４には、その縁を玉縁状に縫い合わせることで、環状へり部８と交差する方向に延在する高さ方向環状へり部２５が設けられており、そこに弾性伸縮体としてゴムバンド２６が組み込まれている。このような後部襞取り部２２は、上述の後部襞取り部１０と同様に機能する。
【００３７】
結び飾り用リボン２３は、結び飾り用リボン２３ａ、結び飾り用リボン２３ｂとして、左右一対で設けられている。結び飾り用リボン２３ａと結び飾り用リボン２３ｂは、それぞれ基端部を環状へり部８に縫い付けることで頭部被覆部２の後端部に取り付けられている。これらの結び飾り用リボン２３ａと結び飾り用リボン２３ｂは、一つの機能として、装着時に結び合わせることで身だしなみ帽子１における結び飾り部３と同様な結び飾り部を形成し、他の機能として、結び方の調整により身だしなみ帽子２１を着用者の頭部に対しよりフィットさせる働きを有している。
【００３８】
つけ毛を取り付けて身だしなみ帽子１ないし身だしなみ帽子２１を装着し状態の例を図６と図７に示す。図６の例は、前頭部や側頭部で部分的に頭髪が露出するような状態としてつけ毛４ａやつけ毛４ｂを取り付ける場合で、図７の例は、前頭部から側頭部にかけて全体的に頭髪が露出するような状態としてつけ毛４ｃやつけ毛４ｄを取り付ける場合である。このように身だしなみ帽子１や身だしなみ帽子２１をつけ毛と組み合わせて用いることにより、着用者は、何時も若々しく見えるようになり、自信を持って外出することができるようになる。なお、つけ毛の取付け位置は以上の例に限られない。またつけ毛の種類としては、ナチュラルカール（図６）、ウエーブ（図７）、パーマ、シャギーストレートなどが挙げられるが、これに限られない。またつけ毛は、糸で縫い付ける固定式であっても、安全ピンなどを用いた取り外し可能な形式であってもよい。
【００３９】
以上、本考案を実施するための形態について説明したが、これは代表的な例に過ぎず、本考案はその趣旨を逸脱することのない範囲で様々な形態で実施することができる。例えば、上記実施例では、複数の被覆部片を縫い合わせて頭部被覆部を形成する場合であったが、これに限られず、一枚布で頭部被覆部を形成する形態も可能である。
【符号の説明】
【００４０】
１、２１    身だしなみ帽子
２    頭部被覆部
３    飾り部
４    つけ毛
７    着装用開口部
８    環状へり部
１０    後部襞取り部（襞取り部）
１１    ゴムバンド（弾性伸縮体）
１４    襞
１５、２４    襞取り部開口部
１７、２６    ゴムバンド（弾性伸縮体）
２３    結び飾り用リボン
【図１】
0003152364.tif 000003
【図２】
0003152364.tif 000004
【図３】
0003152364.tif 000005
【図４】
0003152364.tif 000006
【図５】
0003152364.tif 000007
【図６】
0003152364.tif 000008
【図７】
0003152364.tif 000009